(57)【要約】【課題】ケース全体を安価かつコンパクトに構成することができ、取り扱い性に優れる。【解決手段】放射線画像形成用ユニット１０は、蓄積性蛍光体シート１２とケース１４とを備える。蓄積性蛍光体シート１２は、蛍光体層１６の４辺を覆う枠部材１８を設ける一方、ケース１４の一の側面には、開口部４４が形成される。この開口部４４に枠部材１８が配置されることにより、前記枠部材１８の端面３４ａがケース１４のケース端面を構成する。【選択図】図５
2004264443.tif 000002
【特許請求の範囲】
【請求項１】
放射線を照射して被写体の放射線画像情報を記録するとともに、前記放射線画像情報を消去して繰り返し使用可能な蓄積性蛍光体シートと、
前記蓄積性蛍光体シートを収容するケースと、
を備え、
前記蓄積性蛍光体シートは、放射線画像記録領域を構成する矩形状の蛍光体層と、
前記蛍光体層の少なくとも１辺を覆う枠部材と、
を設ける一方、
前記ケースの一の側面には、前記蓄積性蛍光体シートを挿入および排出するための開口部が形成され、前記開口部に前記枠部材が配置されることにより、該枠部材がケース端面を構成することを特徴とする放射線画像形成用ユニット。
【請求項２】
請求項１記載のユニットにおいて、前記枠部材には、補強層を介装して前記蛍光体層が設けられることを特徴とする放射線画像形成用ユニット。
【請求項３】
請求項１または２記載のユニットにおいて、前記蛍光体層は、前記枠部材に対して交換可能に設けられることを特徴とする放射線画像形成用ユニット。
【請求項４】
請求項１乃至３のいずれか１項に記載のユニットにおいて、前記枠部材は、前記蛍光体層の４辺を覆って設けられるとともに、
前記枠部材には、前記ケースに挿入される挿入方向先端部にテーパ部が設けられることを特徴とする放射線画像形成用ユニット。
【請求項５】
請求項１乃至４のいずれか１項に記載のユニットにおいて、前記蛍光体層の表面は、前記枠部材の表面から内方に離間する位置に配置されることを特徴とする放射線画像形成用ユニット。
【請求項６】
請求項１乃至５のいずれか１項に記載のユニットにおいて、前記枠部材と前記ケースとの間には、前記蓄積性蛍光体シートを前記ケース内に収容保持する一方、該蓄積性蛍光体シートの保持作用を解除して該ケースの開口部から前記枠部材を突出させるロック機構が設けられることを特徴とする放射線画像形成用ユニット。
【請求項７】
請求項１乃至６のいずれか１項に記載のユニットにおいて、前記枠部材と前記ケースとには、前記蓄積性蛍光体シートを該ケース内に所望の姿勢でのみ挿入可能にするための係合部が設けられることを特徴とする放射線画像形成用ユニット。
【発明の詳細な説明】
【０００１】
【発明の属する技術分野】
本発明は、蓄積性蛍光体シートと、前記蓄積性蛍光体シートを収容するケースとを備える放射線画像形成用ユニットに関する。
【０００２】
【従来の技術】
従来から、放射線（Ｘ線、α線、β線、γ線、電子線、紫外線等）を照射すると、この放射線エネルギの一部が蓄積され、その後、可視光等の励起光を照射すると、蓄積されたエネルギ強度に応じて輝尽発光を示す蓄積性蛍光体（輝尽性蛍光体）を利用して、人体等の被写体の放射線画像情報を写真感光材料等に再生させる、あるいはＣＲＴ等に可視像として出力させるシステムが知られている。
【０００３】
上記のシステムでは、具体的には、人体等の被写体の放射線画像情報をシート状の蓄積性蛍光体層を備えた蓄積性蛍光体シートに一旦記録（撮影）する撮影装置と、この蓄積性蛍光体シートにレーザ光等の励起光を照射することにより輝尽発光光を発生させ、この輝尽発光光を光電的に読み取る読取装置と、読み取り後に前記蓄積性蛍光体シートに残存する放射線画像情報を消去する消去装置とを、一体的または個別に備えている。
【０００４】
この場合、蓄積性蛍光体シートの取り扱い性を向上させるため、通常、前記蓄積性蛍光体シートをマガジンやカセッテ等のケース内に収容した放射線画像形成用ユニットが使用されている。この種のユニットとして、例えば、特許文献１に開示されたカセッテが知られている。
【０００５】
このカセッテは、図８に示すように、フロント板１と、バック板２とを備えている。バック板２は、バック板本体２ａを備え、このバック板本体２ａの複数のリブ２ｂ上に薄板３が接着されている。この薄板３には、鉛板４を介して薄板５が固定されるとともに、前記薄板５には、両面テープ等によって支持板６が貼り替え可能に接着されている。支持板６上には、輝尽性蛍光体シート７が固定されている。
【０００６】
フロント板１とバック板２とは、図示しないロック機構を介して固定可能に構成されており、このフロント板１側から放射線撮影が行われる。輝尽性蛍光体シート７に記録された放射線画像情報の読み取りを行う際には、フロント板１とバック板２とが分離された後、前記輝尽性蛍光体シート７がこのバック板２と一体的に読取装置内の読み取り位置に配置される。
【０００７】
【特許文献１】
特開２００２−１５６７１６号公報（段落［０１４２］、［０１４７］、［０１４８］、図２）
【０００８】
【発明が解決しようとする課題】
しかしながら、上記の特許文献１では、フロント板１とバック板２とが分離可能に構成されるため、ロック機構が必要となっており、カセッテ全体の製造コストが高騰するという問題がある。しかも、フロント板１およびバック板２の形状が相当に複雑である。これにより、カセッテ全体の製造コストが相当に高くなるとともに、このカセッテ全体が大型化して取り扱い性が低下するという問題がある。
【０００９】
本発明はこの種の問題を解決するものであり、ケース全体を安価かつコンパクトに構成することができ、取り扱い性に優れる放射線画像形成用ユニットを提供することを目的とする。
【００１０】
【課題を解決するための手段】
本発明に係る放射線画像形成用ユニットでは、蓄積性蛍光体シートが、放射線画像記録領域を構成する矩形状の蛍光体層と、前記蛍光体層の少なくとも１辺を覆う枠部材とを設ける。ケースの一の側面には、蓄積性蛍光体シートを挿入および排出するための開口部が形成されており、前記開口部に枠部材が配置されることによって、前記枠部材がケース端面を構成している。
【００１１】
このため、例えば、ケースを分割可能に構成する必要がなく、また、前記ケースの蓄積性蛍光体シート挿通用開口部を開閉するために開閉蓋を設ける必要もない。従って、ケースは、形状が有効に簡素化されて、例えば、ケースを構成する上下ケース部材を成形品で容易に構成することが可能になるとともに、前記上下ケース部材を熱接着や超音波接着等で接合することができ、ねじによる固定が不要になる。これにより、ケースの製造コストが大幅に削減される他、防水性が向上して消毒用液体等の浸入を阻止することが可能になる。
【００１２】
また、枠部材には、補強層を介装して蛍光体層が設けられる。このため、補強層を強度に応じて変更することにより、蓄積性蛍光体シート全体の剛性の調整が容易に遂行される。
【００１３】
さらに、蛍光体層は、枠部材に対して交換可能に設けられており、この蛍光体層の記録機能が低下した際には、前記蛍光体層のみを交換するだけでよく、経済的である。
【００１４】
さらにまた、枠部材は、蛍光体層の４辺を覆って設けられるとともに、前記枠部材には、ケースに挿入される挿入方向先端部にテーパ部が設けられる。従って、例えば、ケースの開口部が変形していても、蓄積性蛍光体シートを前記ケースに対して円滑かつ確実に挿入することができる。
【００１５】
また、蛍光体層の表面は、枠部材の表面から内方に離間する位置に配置される。このため、蓄積性蛍光体シートは、枠部材のみを使用して、例えば、前記枠部材のみをローラ対で挟持して、搬送することが可能になり、蛍光体層に前記ローラ対等の搬送部が摺接することがない。これにより、蛍光体層に傷や汚れや静電気等が発生することを確実に阻止することができ、高品質な放射線画像情報の読み取り処理が効率的に遂行可能になる。
【００１６】
さらに、枠部材とケースとの間には、蓄積性蛍光体シートを前記ケース内に収容保持する一方、前記蓄積性蛍光体シートの保持作用を解除して該ケースの開口部から前記枠部材を突出させるロック機構が設けられる。従って、ケース内に収容されている蓄積性蛍光体シートを容易かつ迅速に前記ケースから取り出すことができる。
【００１７】
さらにまた、枠部材とケースとには、蓄積性蛍光体シートを前記ケース内に所望の姿勢でのみ挿入可能にするための係合部が設けられる。このため、蓄積性蛍光体シートは、規定外の姿勢、例えば、表裏が逆転した姿勢や前後が逆転した姿勢でケース内に収容されることがなく、簡単な構成で、放射線画像情報の読み取り不良が可及的に阻止される。
【００１８】
【発明の実施の形態】
図１は、本発明の第１の実施形態に係る放射線画像形成用ユニット１０の斜視説明図である。
【００１９】
ユニット１０は、蓄積性蛍光体シート１２と、前記蓄積性蛍光体シート１２を収容するケース（カセッテ）１４とを備える。蓄積性蛍光体シート１２は、放射線画像記録領域を構成する矩形状の蛍光体層１６と、前記蛍光体層１６の四隅を覆う枠部材１８とを備える。
【００２０】
蛍光体層１６は、例えば、ガラス等の硬質材料からなる支持基板に柱状の蛍光体を蒸着して形成される硬質のシートを用いることができる。なお、蛍光体層１６は、真空容器内で蓄積性蛍光体を加熱して蒸発させ、これらを支持基板上に付着させる真空蒸着法、スパッタリング、ＣＶＤ、イオンフレーティング法を用いて形成することができる。
【００２１】
このようにして形成される蛍光体層１６は、蛍光体がこの蛍光体層１６の平面と略垂直な柱状をなし、それぞれが光学的に独立に構成されており、照射される放射線に対して高感度で、かつ、画像の粒状性を低下させることができるとともに、励起光の散乱を減少させて画質を鮮明にすることができる。
【００２２】
また、蛍光体層１６は、支持基板に蛍光体を塗布して形成される可撓性のシート（例えば、特開２０００−２４９７９５号公報等参照）を用いてもよい。
【００２３】
枠部材１８は、例えば、ＡＢＳ樹脂、ポリカーボネート樹脂またはＡＢＳとポリカーボネートのポリマーアロイ（ポリカＡＢＳ樹脂）等の熱可塑性樹脂により構成される。
【００２４】
図２に示すように、枠部材１８は、一方の面である表面１８ａに比較的深溝な第１凹部２０が形成されるとともに、他方の面である裏面１８ｂに比較的浅溝な第２凹部２２が形成される。
【００２５】
第１凹部２０には、補強層としてカーボン板、ＦＲＰまたはガラス強化板（以下、単にカーボン板という）２４が、例えば、インサート成形により埋設され、このカーボン板２４の表面には、蛍光体層１６が、例えば、両面テープ２６を介して交換可能に設けられる。蛍光体層１６の表面は、枠部材１８の表面１８ａよりも距離Ｈだけ内方に配置される。この距離Ｈは、１ｍｍ未満（Ｈ＜１ｍｍ）、より好ましくは０．１ｍｍ以上で０．９ｍｍ以下（０．１ｍｍ≦Ｈ≦０．９ｍｍ）の位置に配置される。第２凹部２２には、例えば、散乱線防止用鉛シート２８が両面テープ３０を介して交換自在に取り付けられる。この鉛シート２８の表面には、保護用プラスティックシート３２が設けられる。
【００２６】
枠部材１８は、図１に示すように、蓄積性蛍光体シート１２のケース１４への挿入方向（矢印Ａ方向）後端部である端面３４ａが、後述するように、前記ケース１４のケース端面を構成する。この端面３４ａは、蓄積性蛍光体シート１２の誤装填を防止するために、他の面とは異なる色に着色されている。
【００２７】
枠部材１８には、ケース１４への挿入方向先端部にテーパ部３６が設けられるとともに、このテーパ部３６には、一方の側面３４ｂから離間する位置に切欠部３８が形成される。枠部材１８の側面３４ｂには、テーパ部３６側に近接する位置にロック機構４０を構成する楔型切欠部４２が形成される。
【００２８】
ケース１４は、矩形状を有しており、このケース１４の一の側面には、蓄積性蛍光体シート１２を挿入および排出するための開口部４４が形成される。この開口部４４に枠部材１８が配置されることにより、前記枠部材１８の端面３４ａがケース端面を構成する。ケース１４は、成形品である第１ケース材４６と第２ケース材４８とを、例えば、熱接着や超音波接着等により接合して構成される。
【００２９】
図３に示すように、ケース１４の開口部４４とは反対側の端部５０には、蓄積性蛍光体シート１２の切欠部３８に嵌合する突起部５２が設けられる。突起部５２と切欠部３８とにより、蓄積性蛍光体シート１２をケース１４内に所望の姿勢でのみ挿入可能にするための係合部５４が構成される。
【００３０】
ロック機構４０は、枠部材１８の切欠部４２に係合自在な可動ロック部材５６と、前記枠部材１８のテーパ部３６に当接して、このテーパ部３６を矢印Ａ方向とは逆方向の矢印Ｂ方向に押し出すためのばね部材５８とを備える。
【００３１】
可動ロック部材５６は、ピン６０を介してケース１４内の凹部６２で揺動自在に支持されるとともに、一端部に前記凹部６２の内面６２ａに当接するばね部６４を設ける。このばね部６４の近傍には、枠部材１８の切欠部４２に係合する鋭角状の係止片６６が形成される。可動ロック部材５６の他端部には、アーム部６８が形成される。
【００３２】
このアーム部６８は、ケース１４に形成された孔部７０から挿入される押圧ロッド７２を介して矢印Ｃ方向に揺動される。この押圧ロッド７２は、ユニット１０が装填される図示しない処理装置、例えば、放射線画像読取装置に設けられている。
【００３３】
図１に示すように、第１ケース材４６には、患者情報や撮影情報を保存および表示できるように、端部５０に近接してＬＣＤ（ｌｉｑｕｉｄ  ｃｒｙｓｔａｌ  ｄｉｓｐｌａｙ）７４が設けられ、このＬＣＤ７４には、撮影前に予め患者名や撮影部位等が表示される。第１ケース材４６には、開口部４４に近接してＩＣチップ７６が設けられるとともに、ケース１４の側部には、バーコード７８が設けられ、これらによってデータ管理が行われる。
【００３４】
このように構成されるユニット１０の動作について、以下に説明する。
【００３５】
蓄積性蛍光体シート１２は、ケース１４内に収容されており、ロック機構４０を介してこの蓄積性蛍光体シート１２が前記ケース１４内に保持されている。この状態で、ユニット１０が図示しない撮影機に装填され、被写体（図示せず）の放射線画像情報が第１ケース材４６側から蓄積性蛍光体シート１２の蛍光体層１６に照射される。このため、蛍光体層１６には、被写体の放射線画像情報が記録される。
【００３６】
次いで、ユニット１０は、図示しない処理装置に装填される。この処理装置内では、図３に示すように、押圧ロッド７２がケース１４の孔部７０に挿入される（矢印Ｄ方向参照）。このため、ロック機構４０を構成する可動ロック部材５６のアーム部６８は、押圧ロッド７２に押圧されて矢印Ｃ方向に揺動する。可動ロック部材５６は、ピン６０を中心にして矢印Ｃ方向に揺動し、係止片６６が枠部材１８の切欠部４２から離脱して、この枠部材１８の保持作用が解除される。
【００３７】
従って、蓄積性蛍光体シート１２は、枠部材１８のテーパ部３６に当接しているばね部材５８の弾性力を介して矢印Ｂ方向に移動する（図４参照）。これにより、枠部材１８の端面３４ａがケース１４の開口部４４から外方に突出し、蓄積性蛍光体シート１２は、前記ケース１４から取り出し可能となる。
【００３８】
そこで、蓄積性蛍光体シート１２は、図示しない搬送機構を介して前記ケース１４から取り出され、処理部（読取部）に搬送される。この処理部では、蛍光体層１６に記録されている放射線画像情報の読み取りが行われる。さらに、蛍光体層１６に残存する放射線画像情報の消去が行われた後、蓄積性蛍光体シート１２がケース１４内に挿入される。
【００３９】
その際、蓄積性蛍光体シート１２の挿入方向先端部には、テーパ部３６が設けられている。このため、ケース１４の開口部４４に変形が発生していても、蓄積性蛍光体シート１２を円滑かつ確実に前記ケース１４内に挿入することができる。
【００４０】
蓄積性蛍光体シート１２がケース１４内に挿入されると、テーパ部３６に設けられている切欠部３８が、ケース１４の端部５０に設けられている突起部５２に係合する。これにより、蓄積性蛍光体シート１２の端面３４ａがケース１４の開口部４４を閉塞し、このケース１４のケース端面が構成される（図５参照）。この状態では、枠部材１８の端面３４ａは、ケース１４の端部と同一面上に配置されている。
【００４１】
一方、蓄積性蛍光体シート１２がケース１４に対して規定外の姿勢、例えば、表裏が逆転した姿勢や、挿入方向の前後が逆転した姿勢で挿入されると、切欠部３８が突起部５２に係合することがない。従って、蓄積性蛍光体シート１２の端面３４ａは、ケース１４の開口部４４から外部に突出する。このため、係合部５４を設けることにより、蓄積性蛍光体シート１２は、ケース１４に対して所望の姿勢で確実に収容されるという利点がある。
【００４２】
蓄積性蛍光体シート１２が所望の姿勢でケース１４内に挿入されると、ロック機構４０を構成する可動ロック部材５６に枠部材１８が当接し、この可動ロック部材５６が矢印Ｃ方向に一旦揺動する。そして、可動ロック部材５６が切欠部４２に対応する位置に至ると、ばね部６４の弾性力を介して矢印Ｃ方向とは逆方向に揺動し、係止片６６がこの切欠部４２に係合する。これにより、蓄積性蛍光体シート１２は、ロック機構４０の作用下にケース１４内に保持されて、前記ケース１４内から不要に飛び出すことがない。
【００４３】
この場合、第１の実施形態では、ケース１４の一の側面には、蓄積性蛍光体シート１２を挿入および排出するための開口部４４が設けられ、この開口部４４に前記蓄積性蛍光体シート１２の枠部材１８が配置されることによって、前記枠部材１８の端面３４ａがケース端面を構成している（図５参照）。このため、ケース１４を分割可能に構成したり、このケース１４に開口部４４を開閉するための開閉蓋等を設けたりする必要がなく、前記ケース１４は、形状および構成が一挙に簡素化される。
【００４４】
従って、例えば、第１および第２ケース材４６、４８を成形品で容易に構成することが可能になるとともに、前記第１および第２ケース材４６、４８を熱接着や超音波接着等で接合することができ、ねじ等による固定が不要になる。これにより、ケース１４は、製造コストが大幅に削減されるとともに、防水性が向上して消毒用液体等の浸入を確実に阻止することが可能になるという効果が得られる。
【００４５】
さらに、蓄積性蛍光体シート１２は、図２に示すように、枠部材１８に補強層としてのカーボン板２４を介して蛍光体層１６が設けられている。このため、カーボン板２４の強度を変更することにより、蓄積性蛍光体シート１２全体の剛性を種々調整することができ、汎用性に優れるという利点がある。その際、蛍光体層１６は、両面テープ２６等を介しカーボン板２４に対して交換可能に設けられる。従って、蛍光体層１６に損傷等が発生して記録機能が低下した際には、前記蛍光体層１６のみを交換するだけでよく、極めて経済的である。
【００４６】
さらにまた、蓄積性蛍光体シート１２は、蛍光体層１６の表面が枠部材１８の表面１８ａよりも内方に距離Ｈだけ離間して配置されている。このため、蓄積性蛍光体シート１２を、図６に示すように、搬送ローラ対８０により挟持して搬送する際に、この搬送ローラ対８０が蛍光体層１６に接触することはない。これにより、蛍光体層１６に傷や汚れ等が発生することを確実に阻止し、高品質な放射線画像情報の読み取り処理が効率的に遂行可能になるという効果が得られる。
【００４７】
なお、第１の実施形態では、枠部材１８の側面３４ｂにのみ対応してロック機構４０を設けているが、この枠部材１８の他の側面３４ｃ（図１参照）に、前記ロック機構４０を設けてもよい。
【００４８】
図７は、本発明の第２の実施形態に係る放射線画像形成用ユニット９０の一部断面説明図である。なお、第１の実施形態に係る放射線画像形成用ユニット１０と同一の構成要素には同一の参照符号を付して、その詳細な説明は省略する。
【００４９】
このユニット９０では、ケース１４と蓄積性蛍光体シート１２とに、一方の側部あるいは両側部に対応してロック機構９２が設けられる。このロック機構９２は、蓄積性蛍光体シート１２の枠部材１８の側面３４ｂに、矢印方向に揺動自在に一端が固定される可動ロック部材９４を備える。この可動ロック部材９４は、枠部材１８に形成される凹部９６に配置されるスプリング９８を介して外方に付勢される。
【００５０】
可動ロック部材９４は、凹部９６内に進退することによって矢印方向に揺動可能に支持される。ケース１４の側面９９には、可動ロック部材９４の形状に対応して切欠部１００が形成されるとともに、この切欠部１００には、矢印Ｂ方向に長尺な長円状孔部１０２が連通する。
【００５１】
このように構成される第２の実施形態では、蓄積性蛍光体シート１２がケース１４内に矢印Ａ方向に挿入されると、ロック機構９２を構成する可動ロック部材９４が、このケース１４の側面９９に当接する。このため、可動ロック部材９４の揺動先端側は、枠部材１８の凹部９６内にスプリング９８の弾性力に抗して進入する。そして、可動ロック部材９４がケース１４の切欠部１００に至ると、前記可動ロック部材９４は、スプリング９８の作用下に前記切欠部１００側に揺動する。これにより、蓄積性蛍光体シート１２はケース１４内に固定される。
【００５２】
一方、ロック機構９２を解除する際には、ユニット９０が装填される処理装置内に設けられた押圧ロッド７２ａが、ケース１４の長円状孔部１０２内に挿入されて、可動ロック部材９４を枠部材１８側に押圧する。このため、可動ロック部材９４は、揺動先端側を枠部材１８の凹部９６内に収容して切欠部１００から離脱し、蓄積性蛍光体シート１２とケース１４との保持作用が解除される。
【００５３】
次に、押圧ロッド７２ａにより可動ロック部材９４が押圧された状態で、この押圧ロッド７２ａが長円状孔部１０２に沿って矢印Ｂ方向に移動する。これにより、蓄積性蛍光体シート１２は、ケース１４の開口部４４から矢印Ｂ方向に突出し、前記蓄積性蛍光体シート１２を前記ケース１４から取り出すことが可能になる。
【００５４】
なお、第１および第２の実施形態では、ロック機構４０、９２を採用しているが、これに限定されるものではなく、一般に使用されているプッシュロック機構を採用してもよい。このプッシュロック機構では、蓄積性蛍光体シート１２をケース１４内に収容してこの蓄積性蛍光体シート１２を一度押圧すると、枠部材１８が前記ケース１４に固定される。一方、蓄積性蛍光体シート１２を再度押圧すると、枠部材１８とケース１４との保持が解除されて、前記蓄積性蛍光体シート１２を前記ケース１４から取り出すことができる。
【００５５】
【発明の効果】
本発明に係る放射線画像形成用ユニットでは、蓄積性蛍光体シートを構成する枠部材が、ケースの一の側面に形成された開口部に配置されることにより、前記枠部材がケース端面を構成する。このため、例えば、ケースを分割可能に構成する必要がなく、また、前記ケースの蓄積性蛍光体シート挿通用開口部を開閉するために開閉蓋を設ける必要もない。
【００５６】
従って、ケースは、形状が有効に簡素化されて、例えば、ケースを構成する上下ケース部材を成形品で容易に構成することが可能になるとともに、前記上下ケース部材を熱接着や超音波接着等で接合することができ、ねじによる固定が不要になる。これにより、ケースの製造コストが大幅に削減される他、防水性が向上して消毒用液体等の浸入を阻止することが可能になる。
【図面の簡単な説明】
【図１】本発明の第１の実施形態に係る放射線画像形成用ユニットの斜視説明図である。
【図２】前記ユニットを構成する蓄積性蛍光体シートの一部断面説明図である。
【図３】前記ユニットを構成する係合部およびロック機構の説明図である。
【図４】前記ロック機構が解除された際の動作説明図である。
【図５】前記ユニットの開口部側端面の一部拡大断面図である。
【図６】前記蓄積性蛍光体シートを搬送ローラ対で搬送する際の説明図である。
【図７】本発明の第２の実施形態に係る放射線画像形成用ユニットの一部断面説明図である。
【図８】特許文献１のカセッテの断面説明図である。
【符号の説明】
１０、９０…ユニット                １２…蓄積性蛍光体シート
１４…ケース                        １６…蛍光体層
１８…枠部材                        １８ａ…表面
１８ｂ…裏面                        ２０、２２、６２、９６…凹部
２４…カーボン板                    ２６…両面テープ
３４ａ…端面                        ３６…テーパ部
３８、４２、１００…切欠部          ４０、９２…ロック機構
４６、４８…ケース材                ５２…突起部
５４…係合部                        ５８…ばね部材
６４…ばね部                        ６６…係止片
７２…押圧ロッド                    ９４…可動ロック部材
９８…スプリング
【図１】
2004264443.tif 000003
【図２】
2004264443.tif 000004
【図３】
2004264443.tif 000005
【図４】
2004264443.tif 000006
【図５】
2004264443.tif 000007
【図６】
2004264443.tif 000008
【図７】
2004264443.tif 000009
【図８】
2004264443.tif 000010